(57)【特許請求の範囲】
【請求項１】
パイプの先端又は先端寄り部位に、その後端に向けてボールが押込まれることで開き、その後、自身のバネ性によって閉じることで該ボールを把持するように形成されたボール把持部を備えており、
前記パイプの先端側内部には、該パイプの外周面より自身の外側が突出すると共に先端に向けて大径をなす傾斜部を有し、かつ先後にスライド可能に配置されたスライダを備えており、
このスライダは、前記傾斜部が、バネ性によって閉じる状態にある前記ボール把持部に押え付けられることによって前記パイプの先端又は先端寄り部位に位置する一方、前記パイプの後端に向けてスライドすることで、前記傾斜部が、前記ボール把持部をそのバネ性に抗して押し開いてボールの把持を解除するように設けられており、
該パイプ内には、前記スライダを後方にスライドさせる駆動機構を、前記スライダより後方に備えていると共に、この駆動機構を駆動させるための作動部を、該スライダより後方に前記パイプに備えており、
前記スライダの先端には、鉄を吸着する磁石が取付けられており、
しかも、前記パイプの先端には、前記スライダが先方へ移動するのを規制するストッパが取り付けられており、
前記スライダが前記パイプの先端又は先端寄り部位に位置しているとき、前記磁石の磁力により該ストッパを介して鉄製のボールマーカーを吸着し、前記スライダが前記パイプの後端に向けてスライドさせられることで、その吸着が解除されるよう構成されていることを特徴とするボール把持具付きのボールマーカー設置具。
【請求項２】
前記作動部は、前記パイプの後端又は後端寄り部位に設けられていることを特徴とする請求項１に記載のボール把持具付きのボールマーカー設置具。
【請求項３】
前記ボール把持部は、一対の金属線からなる挟み付け部からなることを特徴とする請求項１又は２のいずれか１項に記載のボール把持具付きのボールマーカー設置具。
【請求項４】
前記スライダは、その傾斜部が、前記パイプの外周面の両側において突出するように設けられていることを特徴とする請求項１〜３のいずれか１項に記載のボール把持具付きのボールマーカー設置具。
【請求項５】
前記ストッパは、樹脂製の膜又は板であり、前記パイプの先端の開口を閉塞するように取り付けられていることを特徴とする請求項１〜４のいずれか１項に記載のボール把持具付きのボールマーカー設置具。
【発明の詳細な説明】
【技術分野】
【０００１】
本発明は、グランドゴルフのプレー中の使用において好適な、ボール把持具付きのボールマーカー設置具に関する。
【背景技術】
【０００２】
近年、ゴルフを簡易にアレンジした、主として高齢者の健康増進のためのスポーツであるグランドゴルフ（グラウンドゴルフ）が、高齢者の増加に伴いその愛好者も増加しており、各町村、或いは地域において広く普及している。ところで、このグランドゴルフにおいて、そのプレー開始時には、スタート位置で、地面に置かれたスタートマットといわれるマット上にボールを置くことになる。また、第１打後のボールが、他のプレーヤーの邪魔となるような場合には、当該ボールを打ったプレーヤーが、そのボール位置にボールマーカー（以下、単にマーカーともいう）を置いて、一時的にそのボールを把持（保持）して拾い上げる必要がある。そして、プレー再開時には、ボールをマーカー位置に置くと共に、そのマーカーを拾い上げる必要がある。さらに、ボールがホールポストに入った後（ホールイン後）は、プレーヤー自身においてそのボールを拾い上げなければならない。
【０００３】
このようにグランドゴルフにおいては、ボールをスタートマットや地面（以下、単に地面ともいう）の所定位置に置いたり、把持して拾い上げたり、さらには、マーカーを地面の所定位置に置いたり、拾い上げたりする動作がホールごとに何度も必要となる。すなわち、このような動作のたびに、その都度、プレーヤーは腰や脚（膝）を曲げて、手を下に延ばすことを強いられることになる。このような動作は、健常者でない腰痛者や、高齢者のように足腰が弱体化しいる者にとっては、相当の負担を伴う。それ故、これが健康の維持、増進を却って阻害したり、グランドゴルフの継続を断念する原因ともなっている。
【０００４】
こうした中、金属線からなり、ボールを弾性的に挟み込んで保持する一対のリング部などに構成してなる弾性狭持部（又はボール保持部）を備えたボール拾い上げ具（ボール保持部具）が提案されている（特許文献１、特許文献２）。また、マーカーを保持するマーカ保持部を備えた、ゴルフボール用ピックアップ補助具も提案されている（特許文献３）。
【先行技術文献】
【特許文献】
【０００５】
【特許文献１】実用新案登録第３１１０２８１号公報
【特許文献２】特開２００８−３０７３２５号公報
【特許文献３】特開２００３−１７５１３２号公報
【発明の概要】
【発明が解決しようとする課題】
【０００６】
特許文献１、特許文献２に記載したボール拾い上げ具は、弾性狭持部（又はボール保持部）の弾性変形により、ボールを保持して拾い上げることはできるが、そのボールを分離して所望とする位置にこれを容易に置くことはできない。したがって、ボールを所望とする位置に置くには、腰や膝を曲げて手を下に伸ばして置くことを余儀なくされる。 また、これらの拾い上げ具では、マーカーを置いたり、拾い上げることはできない。
【０００７】
また、 特許文献３のマーカーを保持するマーカ保持部を備えた、ゴルフボール用ピックアップ補助具では、そのピックアップと共に、マーカーを設置可能とされている。しかし、マーカーについて適用対象となるものは突起付きのものに限られ、平板（円板）状のものには適用できないので、そのようなマーカーの設置、および拾い上げはできない。
【０００８】
本発明は、上記した問題点に鑑み、かつ、グランドゴルフに使用されるマーカーが、磁石に吸着される鉄製の円板形状等の板片からなるものであることが多いことに鑑みてなされたもので、プレーヤーが腰や脚を曲げて、手を下に延ばしたりすることなく、地面へのボールの配置及びその拾い上げ、さらには、マーカーの配置及びその拾い上げが簡易にできる、ボール把持具付きのボールマーカー設置具を提供することを目的とする。
【課題を解決するための手段】
【０００９】
上記目的を達成するため、請求項１記載に記載の発明のボール把持具付きのボールマーカー設置具は、
パイプの先端又は先端寄り部位に、その後端に向けてボールが押込まれることで開き、その後、自身のバネ性によって閉じることで該ボールを把持するように形成されたボール把持部を備えており、
前記パイプの先端側内部には、該パイプの外周面より自身の外側が突出すると共に先端に向けて大径をなす傾斜部を有し、かつ先後にスライド可能に配置されたスライダを備えており、
このスライダは、前記傾斜部が、バネ性によって閉じる状態にある前記ボール把持部に押え付けられることによって前記パイプの先端又は先端寄り部位に位置する一方、前記パイプの後端に向けてスライドすることで、前記傾斜部が、前記ボール把持部をそのバネ性に抗して押し開いてボールの把持を解除するように設けられており、
該パイプ内には、前記スライダを後方にスライドさせる駆動機構を、前記スライダより後方に備えていると共に、この駆動機構を駆動させるための作動部を、該スライダより後方に前記パイプに備えており、
前記スライダの先端には、鉄を吸着する磁石が取付けられており、
しかも、前記パイプの先端には、前記スライダが先方へ移動するのを規制するストッパが取り付けられており、
前記スライダが前記パイプの先端又は先端寄り部位に位置しているとき、前記磁石の磁力により該ストッパを介して鉄製のボールマーカーを吸着し、前記スライダが前記パイプの後端に向けてスライドさせられることで、その吸着が解除されるよう構成されていることを特徴とする。
【００１０】
請求項２記載の発明は、前記作動部は、前記パイプの後端又は後端寄り部位に設けられていることを特徴とする請求項１に記載のボール把持具付きのボールマーカー設置具である。請求項３記載の発明は、前記ボール把持部は、一対の金属線からなる挟み付け部からなることを特徴とする請求項１又は２のいずれか１項に記載のボール把持具付きのボールマーカー設置具である。
【００１１】
請求項４記載の発明は、前記スライダは、その傾斜部が、前記パイプの外周面の両側において突出するように設けられていることを特徴とする請求項１〜３のいずれか１項に記載のボール把持具付きのボールマーカー設置具である。請求項５記載の発明は、前記ストッパは、樹脂製の膜又は板であり、前記パイプの先端の開口を閉塞するように取り付けられていることを特徴とする請求項１〜４のいずれか１項に記載のボール把持具付きのボールマーカー設置具である。
【発明の効果】
【００１２】
本発明のボール把持具付きのボールマーカー設置具（以下、単に設置具ともいう）によれば、プレーヤー（使用者）が前記パイプを把持して、地面にあるボールに向けて、その先端又は先端寄り部位（以下、単に先端ともいう）の前記ボール把持部を押付けるように動かすことで、ボールを把持できる。したがって、パイプを適切長さにしておくことで、ボールを拾い上げるのに、腰や脚を曲げたり、さらには、手を地面に向けて伸ばすような、高齢者等にとって負担を伴う動作を要しない。また、そのボールを地面に置くときは、所定位置にボール把持部が位置するようにして、前記作動部を作動（操作）してスライダを後方にスライドさせることで、ボール把持部を開いてボールを開放できる。したがって、作動部をパイプの後方又は後端寄り部位の適所に設けておくことで、腰や脚を曲げたり、手を地面に向けて伸ばすような高齢者等にとって負担を伴う動作を要することなく、ボールを地面の所定位置における。
【００１３】
また、前記スライダが前記パイプの先端側にあるとき、その先端側にある磁石にて鉄製マーカー（以下、単にマーカー）を吸着させることができる。したがって、この鉄製マーカーを吸着させた状態で、これを地面の所定位置に位置するようにして、前記作動部を作動してスライダを後方にスライドし、鉄製マーカーを分離させることで、これを地面の所定位置に配置できる。そして、スライダがパイプの先端側にあるとき、その先端を鉄製マーカーに近接又は当接させることで、磁石により、ストッパを介して該マーカを吸着させることができる。したがって、前記と同様、腰や脚を曲げたり、手を地面に向けて伸ばすような高齢者等にとって負担を伴う動作を要することなく、マーカーの設置、及び拾い上げもできる。
【００１４】
上記したように、本発明のボール把持具付きのボールマーカー設置具によれば、パイプの長さを使用者（プレーヤー）の身長等にあわせて、普通に立っている状態でその後端寄り部位等を持つことができ、かつ、作動部を作動（操作）できるようにしておくことで、そのパイプの長さに相応して、腰や脚を曲げたりして下向きに手を伸ばすなど、腰痛者等にとって負担を伴う動作を要することなく、ボール及び鉄製マーカーを配置し、或いは、拾い上げることができる。これにより、こうした姿勢や体の動きをとり難いような腰痛者等であっても、無理なくグランドゴルフを楽しめるため、本発明の設置具によれば、それらの者にとって福音となる。なお、本発明において鉄製のマーカーというのは、磁石に吸着する素材からなるマーカーを意味し、その意味において鉄系合金からなるものも含まれる。
【図面の簡単な説明】
【００１５】
【図１】本発明を具体化したボール把持具付きのボールマーカー設置具の全体を示す斜視図、及びその先端又は先端寄り部位のボール把持部の拡大図。
【図２】図１のパイプの先端又は先端寄り部位のボール把持部を背面側（図１の矢印Ａ１）から見た拡大斜視図。
【図３】図１の先端又は先端寄り部位のボール把持部を正面側（図１の矢印Ａ２）から見た拡大図。
【図４】図３のＡ−Ａ線断面図。
【図５】図４のＢ−Ｂ線断面図、及びボール把持部が開く状態の説明図。
【図６】図３の破断面図、及びスライダを後方にスライドさせた説明図。
【図７】図１のパイプの後端又は後端寄り部位の縦断面図。
【図８】図７において、グリップを外してパイプの後端側から見た図。
【発明を実施するための形態】
【００１６】
以下に、本発明を具体化した実施の形態例について、図１〜図８に基づいて詳細に説明する。図中１０１は、本例の把持具付きボールマーカー設置具であり、パイプ１１と、その先端（図１の下端）又は先端寄り部位の正面（図１の右手前）に、パイプ１１を挟んで左右に開閉する一対の挟み付け部２０，２０からなるボール把持部２１を備えている。このボール把持部２１は、パイプ１１の後端（図１の上方）に向けてボール１００が押込まれることで、一対の挟み付け部２０，２０が開き、その後、自身のバネ性によって閉じることで該ボール１００を把持するように、パイプ１１を挟んで左右に開閉する一対の挟み付け部２０，２０からなっている（図１〜図５参照）。パイプ１１は、例えば、アルミニウム又はアルミニウム合金製からなり、肉厚が２ｍｍで外径が２０ｍｍ程度で、長さが４０〜５０ｃｍの円管である。
【００１７】
本例では、ボール把持部２１をなす各側の挟み付け部２０は、金属線（例えば、ステンレス鋼線）で折曲げ形成されている。この各挟み付け部２０は、具体的にはパイプ１１の先端（図１下端）寄り部位の正面側（図３の手前、図５の右側）において、パイプ１１を挟むよう、その各側において、側面視（図４参照）、横方向に折り返し状に曲げられ、両挟み付け部２０が閉じたときに、落下させることなくボール１００を把持するように、ボール１００の表面に沿うように曲げ形成されている（図１の拡大図等参照）。
【００１８】
すなわち、両挟み付け部２０は、これをパイプ１１の軸線方向から見たときに（図１〜５参照）、略対称配置をなし、各挟み付け部２０のうち、パイプ１１の先端（図１の下端）側に位置して、パイプ１１の外側からパイプ１１に向けて折り返している折り返し線部２３は、内側にボール１００を保持するよう、平面視（図５参照）、外側に膨らむ円弧状をなし、その折り返し線部２３の基端側は、パイプ１１の側部に当接する当接部２５をなしている。
【００１９】
そして、この当接部２５のうち、折り返し部２３と反対のパイプ１１の背面側（図４、図５左側）に位置する端部においては、図１〜図４に示したように、パイプ１１の後端（図１の上端）側に向けて延びる直線部２７をなし、その直線部２７の後端（図１の上端）が、パイプ１１に固定金具２９を介して取着されている。また、各挟み付け部２０のうち、パイプ１１の後端（図１の上端）側に位置して、パイプ１１の外側からパイプ１１に向けて折り返している折り返し線部３１は、内側にボール１００を保持するよう、図４に示したように、パイプ１１の後端（図１の上端）側に膨らむ円弧状をなし、その折り返し線部３１の基端側は、パイプ１１の側部に当接する当接部３３をなし、この当接部３３のうち、折り返し部３１と反対のパイプ１１の背面側に位置する端部において、図１、図２、図４に示したように、パイプ１１に固定金具３５を介して取着されている。
【００２０】
しかして、ボール把持部２１をなす各側の挟み付け部２０は、パイプ１１の後端（図１の上端）に向けて、パイプ１１の先端側からボール１００が押込まれることで開き、その後、自身のバネ性によって閉じることで該ボール１００を、パイプ１１の正面（図４、図５の右側）において各側の挟み付け部２０をなす折り返し線部２３、３１にて把持可能なように形成されている。すなわち、ボール把持部２１をなす両挟み付け部２０の間に、パイプ１１の先端側から後端側に向けてボール１００が押込まれると、その押込み力により、主として、その先端側に位置する折り返し線部２３が開くように変形し、ボール１００が両挟み付け部２０の間に入り込み、後端側に位置する折り返し線部３１にてボール１００の後方への移動が規制されると同時に、両挟み付け部２０が自身のバネ性により閉じ、各折り返し線部２３、３１等がボール１００の表面になじむ形となってボール１００を保持するように形成されている。なお、各側の挟み付け部２０は、閉じた状態で、その先端側の折り返し線部２３は、保持したボール１００を落下させないようにボール１００の下向き面（半球面）に係合する設定とされており、後端側の折り返し線部３１は、ボール１００が後端側へ飛び出ないようにされていると共に、両折り返し線部２３、３１にてボールを挟み付けて把持（拘束）するように曲げ形成されている。
【００２１】
一方、パイプ１１の外周面のうち、挟み付け部２０をなす、外側に膨らむ円弧状の折り返し線部２３の基端側の当接部２５に対向する位置には、パイプ１１の径方向に対向する配置で、先後方向に延びるスリット１３が設けられている（図１、図２、図５、図６参照）。そして、このパイプ１１の先端側内部には、先後にスライド可能に配置されたスライダ４１を備えている。このスライダ４１は、矩形状の帯板部４３と、帯板部４３の先端寄り部位の両側において、両側のスリット１３においてパイプ１１の外周面から、自身の外側が突出し、先端に向けて大径をなす傾斜部４５をなす翼状板部４７を備えている。この各傾斜部４５には、ボール把持部２１をなす各側の挟み付け部２０の、外方に膨らむ円弧状の折り返し線部２３の当接部２５が、ボール１００を挟むように閉じる方向の自身のバネ性により押付けられている。しかして、この傾斜部４５に対する当接部２５による径方向の押さえつけ力による先端（図１の下）向き分力によって、このスライダ４１は、パイプ１１の先端に向けて付勢されており、パイプ１１の先端又は先端寄り部位に位置するように保持されている。したがって、図６中、２点鎖線で示したように、このスライダ４１をパイプ１１の後端（図１の上）に向けてスライドするように移動することで、その傾斜部４５にて、ボール把持部２１をなす各側の挟み付け部２０における当接部２５が、逆に押し広げられ、外方に膨らむ円弧状の折り返し線部２３を主体として、両側の挟み付け部２０はバネ性に抗して開き、これにより、ボール１００の把持を解除するように設定されている。
【００２２】
なお、パイプ１１内には、このスライダ４１を後方にスライドさせる駆動機構が設けられている。本例では、パイプ１１内であって、スライダ４１の後方に、その駆動機構をなすリンク用の帯板（細長い矩形板）５１が、その先端部分を介し、スライダ４１の後端部位（帯板部４３の後端部）に、ピン止め（頭部付きのネジとナット締め）により、緩く連結されている（図４、図６参照）。ただし、本例では、このリンク用の帯板（細長い矩形板）５１は、先後の中間部位で約９０度ねじられている。
【００２３】
一方、パイプ１１の後端又は後端寄り部位には、パイプ１１の径方向を貫く配置で、そのパイプの一方の外側（図７の左側）に作動部６１が突出する矩形板状部材からなるレバー６３が、先後（図７の上下）に揺動可能に設けられている。本例では、パイプ１１の他方の外側（図７の右側）においてパイプ１１に固定された止め具１５に、レバー６３の先端がピン止めされている。そして、このレバー６３のうちパイプ１１内に位置する部位には、上記したリンク用の帯板（細長い矩形板）５１における９０度ひねられた後端寄り部位が重ねられ、ピン止め（頭部付きのネジとナット締め）により、揺動可能に連結されている。これにより、レバー６３のうち、パイプ１１の外側（図７の左側）に突出する作動部６１の先端を、図７中、２点鎖線で示したように、パイプ１１の後端側に所定角度θ、揺動することで、帯板５１を後端側に引き寄せ、これによって、図６に示したように、スライダ４１を後端側（図６上）に所定量Ｌ１、スライドさせ得るように構成されている。すなわち、ボール把持部２１をなす各側の挟み付け部２０の、外方に膨らむ円弧状の折り返し線部２３の当接部２５が、ボール１００を挟むように閉じる方向の自身のバネ性により、スライダ４１の各傾斜部４５に押付けられているときは、スライダ４１はパイプ１１の先端側にある。一方、この状態において、レバー６３のうち、パイプ１１の外側に突出する作動部６１を後端側に揺動すると、スライダ４１は、帯板５１を介して、上記バネ性に抗して、後端側にスライドさせられるように構成されている。
【００２４】
また、図４、図６に示したように、このようなスライダ４１のうち、パイプ１１内にあるその先端側には、鉄片を吸着可能の所定の磁力を有する磁石７１が例えば、接着剤による接着で取付けられている。本例では、スライダ４１の先端に凹部が切欠き形成され、この凹部に磁石（マグネット）７１が嵌め込まれる形で、例えば、接着剤又は樹脂により接着されている。これにより、スライダ４１が、パイプ１１内における先端側に位置しているとき、磁石７１は、パイプ１１の先端に位置するように設定されている（図４、図６参照）。また、このスライダ４１の先端、及び磁石７１が、パイプ１１の先端から先方に突出する（移動する）のを規制ないし防止するため、パイプ１１の先端には、ストッパ８１として、本例では例えば、樹脂製の膜（又は板）からなるキャップ（以下、ストッパ）が嵌着され、接着等により分離しないように固着されており、パイプ１１の先端の開口を閉塞している。なお、磁石７１は、スライダ４１がパイプ１１の先端又は先端寄り部位に位置しているとき、樹脂製の膜からなるストッパ８１を介して、鉄製の円板片などからなるボールマーカー７５を吸着して、そのまま持ち上げる磁力を有するものとされている。一方、磁石７１は、この状態で、スライダ４１が、上記したように、レバー６３の操作でパイプ１１の後端側に向けて、所定量Ｌ１、スライドさせられたとき、そのボールマーカー７５の吸着が解除される磁力のものとされており、したがって、マーカー７５が吸着された状態でスライダ４１が所定量Ｌ１、引き上げられると、そのボールマーカー７５は、パイプ１１の先端から分離して落下するように構成されている。
【００２５】
なお、本例のボール把持具付きのボールマーカー設置具１０１においては、パイプ１１の後端寄り部位のうち、レバー６３の後方のグリップ部９１にグリップ部材として、例えば、スポンジ材等からなるグリップ部材が巻装されており、使用者が本例の設置具１０１をその手で持ちやすいように構成されている。また、パイプ１１の後端寄り部位の一側には、下向きフック（上下が逆のＪ字形フック）９５が固着されており、例えば、使用者が、自身のズボンの腰バンド等に、このフック９５を引っ掛けることで、手を用いず本例の設置具１０１を運搬できるように構成されている。
【００２６】
しかして、上記した本例の設置具１０１によれば、次のような効果が得られる。すなわち、使用者がパイプ１１をその後端寄り部位のグリップ部９１を把持し、地面にあるボール１００の上に、先端の一対の挟み付け部２０、２０の間が位置するようして、そのボール把持部２１を押し付ける。こうすることで、バネ性により一対の挟み付け部２０、２０は開き、ボール１００がボール把持部２１内に挟まれるようになるとともに、バネ性により、それらが閉じることで、ボール１００は把持される。また、逆にボールを地面に置くときは、ボール把持部２１内にボールを挟んだ状態とした本例の設置具１０１を把持して、そのボールが地面の所定位置に位置するようにする。そして、レバー６３の作動部６１を、後端側に適宜（例えば所定角度θ）、揺動する。こうすることで、スライダ４１は後端側にスライドし、その傾斜部４５により一対の挟み付け部２０、２０は、その当接部２５，２５を基点として開く。これにより、ボール１００はその自重により開放され、地面の所望とする位置に配置されることになる。
【００２７】
また、プレー途中で、ボールを拾い上げてその位置にマーカーをおく必要があるときは、鉄製（例えば鉄製円板）のマーカー７５を用いる。すなわち、スライダ４１がパイプ１１の先端側にあるとき、その先端のストッパ８１を介して、パイプ１１の先端にそのマーカー７５を近接又は当接する。こうして、マーカー７５を、ストッパ８１を介して磁石７１にて吸着させ、そのマーカー７５が地面の所定位置に位置するようにして、レーバー６３の作動部６１を作動し、上記したようにスライダ４１を後方にスライドさせる。こうすることで、鉄製のマーカー７５は、その磁石７１による吸着から開放されるから、地面の所定位置に配置されることになる。また、逆に、そのマーカー７５を拾い上げるときは、スライダ４１がパイプ１１の先端側にある状態とし、その先端を鉄製のマーカー７５に近接又は当接させることで、そのマーカー７５はストッパ８１を介して磁石７１に吸着される。したがって、以後は、その先端のマーカー７５を手に取ることで、その拾い上げが終了する。
【００２８】
以上の説明から明らかなように、本例の設置具１０１を用いる場合には、パイプ１１の先端側において、簡易な操作で、プレーの開始から終了までの間において、ボールを地面の所定位置に置いたり、地面から拾い上げるのに加えて、鉄製のボールマーカーを所定位置に置いたり、拾い上げたりすることができる。すなわち、本例の設置具１０１を用いる場合には、腰や脚を曲げて、手を下に延ばす動作を要することなく、ボールや鉄製のマーカーを地面に置いたり、地面から拾い上げることができるから、腰痛者や高齢者のように、腰や脚を曲げたり、そうした姿勢で手を下に延ばすような動作をするが容易でない者でも、支障なくグランドゴルフを楽しむことができる。
【００２９】
なお、上記したことから明らかなように、本例のボール把持具付きのボールマーカー設置具においては、使用者の身長や運動機能に応じて、上記動作が容易にできるように、そのパイプの長さ等を設定すればよい。すなわち、パイプの後端又は後端寄り部位をグリップ部としたとき、この部位を手で把持して、上記したようにボールやマーカーの設置や拾い上げを動作を行うに際して、腰や脚を曲げることなく、それらを行うことができるように、パイプの長さ等を設定すればよい。また、同様に、前記作動部についても、このグリップ部の近傍に設けると、グリップしている手で、その作動（操作）ができることから、この作動部についても、パイプの後端又は後端寄り部位に設けるのが好ましい。
【００３０】
また、上記形態では、ボール把持部は、金属線からなる一対の挟み付け部からなるものとした場合を例示したが、これは非対称構造の２つの挟み付け部からなるものとしてもよいし、３つの挟み付け部からなるものとしてもよい。これは、パイプの先端又は先端寄り部位に、その後端に向けてボールが押込まれることで開き、その後、自身のバネ性によって閉じることで該ボールを把持するように形成されたものであればよく、したがって、金属線からなるものに限定されるものではなく、適度のバネ性がある、樹脂製の線材（プラスチックの線材）や、金属薄板や樹脂製の板材から形成してもよい。
【００３１】
また、上記形態では前記スライダ４１は、その傾斜部が、前記パイプ１１の外周面の両側において突出するように設けられているものを例示したが、これは、片側において突出するように設けられているものでもよい。すなわち、その１つの傾斜部により、パイプ把持部の必要な押し広げができ、ボールの開放ができればよいためである。さらに、上記例では、ストッパとして、樹脂製の膜（又は板）を用いて、パイプの先端の開口を閉塞した場合を例示したが、これは、例えば、格子や網状のものであってもよい。スライダをパイプの後端に向けてスライドしたとき、スライダの先端側の磁石にストッパを介して吸着されていた鉄製のマーカーが、磁石の動きに追随することなく、分離できればよいためである。この意味でストッパは、非磁性体であれば金属でもよく、したがって、アルミニウムやアルミニウム合金製のものとしてもよい。なお、本発明のボール把持具付きのボールマーカー設置具は、グランドゴルフに限られるものではなく、所謂、ゲートボールや普通のゴルフなど、そのプレー過程で、ボール及び鉄製のマーカー（ボールマーカー）を置いたり拾い上げたりする動作を伴うスポーツや遊び（娯楽行為）に広く適用できる。
【符号の説明】
【００３２】
１１  パイプ
２０  挟み付け部
２１  ボール把持部
４１  スライダ
４５  傾斜部
５１  スライド駆動用の帯板
６３  スライド駆動用の作動部
７１  磁石
７５  マーカー（鉄製のボールマーカー）
８１  ストッパ
１００  ボール
１０１  ボール把持具付きのボールマーカー設置具
【図１】
0005524773.tif 000002
【図２】
0005524773.tif 000003
【図３】
0005524773.tif 000004
【図４】
0005524773.tif 000005
【図５】
0005524773.tif 000006
【図６】
0005524773.tif 000007
【図７】
0005524773.tif 000008
【図８】
0005524773.tif 000009